(57)【要約】【課題】天井吊り設置または壁掛け設置のどちらでも設置可能であり、設置位置にかかわらず水受け皿に貯留された凝縮水を漏水することなく屋外へ排出することができる空気調和機を提供すること。【解決手段】送風手段９と熱交換器２の相対位置関係が水平であっても垂直であっても設置可能な空気調和機１の熱交換器２に生ずる凝縮水を水受け皿６に貯溜し、吸込み口が常に下向きになるように可変するドレンポンプ３を有することにより、凝縮水を強制排出によって屋外へ排出することが可能となる。【選択図】図１
2006258341.tif 000002
【特許請求の範囲】
【請求項１】
送風手段と、熱交換器と、前記熱交換器に生ずる凝縮水を貯溜するための水受け皿と、前記水受け皿に貯留した凝縮水を排出するドレンポンプを備え、送風手段と熱交換器の相対位置関係が水平であっても垂直であっても設置可能な空気調和機であって、設置位置にかかわらず水受け皿に貯留した凝縮水をドレンポンプの強制排出により屋外へ排出することができることを特徴とした空気調和機。
【請求項２】
前記空気調和機の設置位置にかかわらず重力によって前記ドレンポンプ吸込み口を常に下向きに可変する構造を特徴とした請求項１に記載の空気調和機。
【請求項３】
水平検知手段を備え、検知信号に基づいて前記ドレンポンプ吸込み口を常に下向きに可変させる構造を特徴とした請求項１に記載の空気調和機。
【請求項４】
前記ドレンポンプ吸込み口が下向きに可変されていない場合、室内機の運転を強制的に停止させることを特徴とした請求項２または３に記載の空気調和機。
【発明の詳細な説明】
【技術分野】
【０００１】
本発明は天井吊り設置または壁掛け設置のどちらでも設置可能であり、設置位置にかかわらず水受け皿に貯留された凝縮水をドレンポンプの強制排出により野外へ排出することができる空気調和機に関するものである。
【背景技術】
【０００２】
従来からよく知られている空気調和機は天井吊り設置用と、壁掛け設置用と、床置き設置用等、設置位置により形態が異なっている。天井吊り設置用は、熱交換器から発生する凝縮水を水受け皿に貯溜させ、ドレンポンプによる強制排出によって屋外へ排出する（例えば、特許文献１参照）。
【０００３】
また、壁掛け設置用は、熱交換器から発生する凝縮水は、ドレンパイプを介して自然排出により屋外へ排出させるものとなっている。
【０００４】
一方、同じ形態で天井吊り設置と壁掛け設置とをユーザのニーズにより使い分けるタイプのものもあるが、その場合も、天井吊り設置にした場合は、熱交換器から発生する凝縮水を水受け皿に貯溜させ、ドレンポンプによる強制排出によって屋外へ排出し、壁掛け設置にした場合は、熱交換器から発生する凝縮水は、ドレンパイプを介して自然排出により屋外へ排出させるものとなっている。
【０００５】
図４は、特許文献１に記載された従来の天吊式空気調和機の要部断面図を示すものである。図４に示すように、空気調和機本体１と、熱交換器２と、ドレンポンプ３と、ドレンホース４と、ドレンパイプ５と、水受け皿６と、送風手段９と、吸込部１０、吹出部１１を覆う化粧グリル１２から構成されている。
【０００６】
図５は、天井吊り設置と壁掛け設置を、ユーザのニーズにより使い分けるタイプの空気調和機を壁掛け設置した場合の断面図を示すもので、空気調和機本体１と、熱交換器２と、ドレンポンプ３と、ドレンホース４と、ドレンパイプ５と、水受け皿６と、送風手段９から構成されている。
【特許文献１】特開２００３−２８４５５号公報
【発明の開示】
【発明が解決しようとする課題】
【０００７】
しかしながら、前記従来の構成では、図４のような天井吊り設置用の空気調和機は壁掛け設置できず、図５のような設置位置をユーザのニーズにより使い分けるタイプの空気調和機を壁掛け設置した場合には、冷房運転時において、熱交換器から発生した凝縮水は、ドレンパイプを介して自然排出により屋外へ排出させるので、ドレンアップできず空気調和機本体下側からドレンホースと、ドレンパイプを出すこととなり、美観においてあまり好ましくないという課題を有していた。また、ドレンポンプを運転する必要性がなくなるため、ドレンポンプの動作を無効に切り換える制御をしたり、また手動で動作を有効と無効に切り換えしたりしなければならないという課題を有していた。
【０００８】
本発明は、前記従来の課題を解決するもので、設置位置にかかわらず水受け皿に貯留した凝縮水をドレンポンプの強制排出により屋外へ排出することができる、設置位置をユーザのニーズにより使い分けるタイプの空気調和機を提供することを目的とする。
【課題を解決するための手段】
【０００９】
前記従来の課題を解決するために、本発明の空気調和機は、設置位置にかかわらず重力によってドレンポンプ吸込み口を常に下向きに可変する構造を搭載したものである。
【００１０】
これによって、設置位置にかかわらず水受け皿に貯留した凝縮水をドレンポンプの強制排出によりドレンアップして屋外へ排出することができる。
【００１１】
また、本発明の空気調和機は、水平検知手段を備え、検知信号に基づいてドレンポンプ吸込み口を常に下向きに可変させる構造を搭載したものである。
【００１２】
これによって、設置位置にかかわらず水受け皿に貯留した凝縮水をドレンポンプの強制排出によりドレンアップして屋外へ排出することができる。
【００１３】
また、本発明の空気調和機は、ドレンポンプ吸込み口が下向きに可変されていない場合、室内機の運転を強制的に停止させるものである。
【００１４】
これによって、空気調和機室内機が故障と診断されユーザに対して警告できることとなり、点検することでドレンポンプ吸込み口を下向きに修正でき、ドレンポンプ傾斜による水漏れ被害が確実に防止できるのである。
【発明の効果】
【００１５】
本発明の空気調和機は、空気調和機の設置位置にかかわらず水受け皿に貯留した凝縮水をドレンポンプの強制排出によりドレンアップして屋外へ排出することができるので、ドレンポンプの動作の有無を切り換える制御をする必要がなく、ドレンアップすることで美観においても配管やドレンホースを室内側から見えなくすることができる。また、ドレンポンプ吸込み口が下向きに可変されていない場合、室内機の運転を強制的に停止させることで、空気調和機室内機が故障と診断されユーザに対して警告することができるので、ドレンポンプの回転構造に故障やツマリ等が発生していないか点検することができ、ドレンポンプ傾斜による水漏れ被害が確実に防止できる。
【発明を実施するための最良の形態】
【００１６】
第１の発明は、送風手段と熱交換器の相対位置関係が水平であっても垂直であっても設置可能な空気調和機であって、設置位置にかかわらずドレンポンプを動作させることにより、水受け皿に貯留した凝縮水をドレンポンプの強制排出によりドレンアップして屋外へ排出することができる。
【００１７】
第２の発明は、特に、第１の発明のドレンポンプ吸込み口を重力によって常に下向きに可変する構造にすることにより、水受け皿に貯留した凝縮水をドレンポンプの強制排出により屋外へ排出することができる。
【００１８】
第３の発明は、特に、第１の発明のドレンポンプ吸込み口を、水平検知手段の検知信号に基づいて常に下向きに可変させる構造にすることにより、水受け皿に貯留した凝縮水をドレンポンプの強制排出により屋外へ排出することができる。
【００１９】
第４の発明は、特に、第２または３の発明のドレンポンプ吸込み口が下向きに可変されていない場合、室内機の運転を強制的に停止させることにより、空気調和機室内機が故障と診断されユーザに対して警告することができるので、ドレンポンプの回転構造に故障やツマリ等が発生していないか点検することができる。
【００２０】
以下、本発明の実施の形態について、図面を参照しながら説明する。なお、この実施の形態によって本発明が限定されるものではない。
【００２１】
（実施の形態１）
本発明の空気調和機を実施の形態の図１および図２を参照して詳細に説明する。
【００２２】
図１は、本発明の第１の実施の形態における天吊り設置時の空気調和機の断面図である。図１において、空気調和機１は、熱交換器２と、送風手段９を備え、冷房運転時において、熱交換器２から発生する凝縮水を貯溜するための水受け皿６と、ドレンポンプ回転部７にて回転するドレンポンプ３と、ドレンホース４と、ドレンパイプ５を備えている構成となっている。
【００２３】
ここで、ドレンポンプ回転部７にて回転するドレンポンプ３は、その上部側を支点とした振り子のような構造となっており、重力によりドレンポンプ回転部７で回転し、ドレンポンプ３の吸込み口が常に下向きになるようになっている。
上記構成の場合、送風手段９と熱交換器２の相対位置関係は水平となっており、熱交換器２から生ずる凝縮水は水受け皿６に貯溜され、重力によりドレンポンプ回転部７で回転し可変するドレンポンプ３により、ドレンポンプ３の吸込み口が常に下向きになり、水受け皿６に貯留された凝縮水は、強制排出によってドレンポンプ３の吸込み口からドレンホース４及びドレンパイプ５を介して屋外へ排出される。
【００２４】
図２は、本発明の第１の実施の形態における壁掛け設置時の空気調和機の断面図である。図２において、空気調和機１は、前記図１と同構成となっている。
上記構成の場合、送風手段９と熱交換器２の相対位置関係は垂直となっており、熱交換器２から生ずる凝縮水は水受け皿６に貯溜され、重力によりドレンポンプ回転部７で回転し可変するドレンポンプ３により、ドレンポンプ３の吸込み口が常に下向きになり、水受け皿６に貯留された凝縮水は、強制排出によってドレンポンプ３の吸込み口からドレンホース４及びドレンパイプ５を介して屋外へ排出される。
【００２５】
また本実施の形態における空気調和機は、他に室温コントロールに必要な冷凍サイクルの部位や各種センサー等（図示せず）を備えており、ドレンポンプ３吸込み口が下向きに可変されていない場合、室内機の運転を強制的に停止させることで、ドレンポンプ傾斜による水漏れ被害が確実に防止できる。
【００２６】
以上のように、本実施の形態においては、送風手段９と熱交換器２の相対位置関係が水平であっても垂直であっても熱交換器２から発生する凝縮水は水受け皿６に貯溜され、重力によりドレンポンプ３吸込み口を常に下向きに可変する構造を搭載するので、水受け皿６から強制排出によってドレンポンプ３の吸込み口からドレンホース４及びドレンパイプ５を介して屋外へ排出することができる。また、ドレンポンプ３の動作の有無を切り換える制御をする必要がなく、ドレンアップすることで美観においても配管やドレンホース４を室内側から見えなくすることができる。
【００２７】
（実施の形態２）
本発明の空気調和機を実施の形態の図３を参照して詳細に説明する。
【００２８】
図３は、本発明の第２の実施の形態における天吊り設置時の空気調和機の断面図である。図３において、空気調和機１は、熱交換器２と、送風手段９を備え、冷房運転時において、熱交換器２から発生する凝縮水を貯溜するための水受け皿６と、ドレンポンプ回転部７にて回転するドレンポンプ３と、ドレンホース４と、ドレンパイプ５と、水平検知手段８（例えば、フロートスイッチ）を備えている構成となっている。
【００２９】
ここで、ドレンポンプ回転部７にて回転するドレンポンプ３は、フロートスイッチ８か
らの水平設置位置検知信号に基づいて、ドレンポンプ３の上部側を支点とし回転させる制御装置を搭載しており、重力によりドレンポンプ回転部７で回転し、ドレンポンプ３の吸込み口が常に下向きになるようになっている。
【００３０】
上記構成の場合、送風手段９と熱交換器２の相対位置関係は水平となっており、熱交換器２から生ずる凝縮水は水受け皿６に貯溜され、水平検知手段８の検知信号に基づいてドレンポンプ回転部７で回転し可変させるドレンポンプ３により、ドレンポンプ３の吸込み口が常に下向きになり、水受け皿６に貯留された凝縮水は、強制排出によってドレンポンプ３の吸込み口からドレンホース４及びドレンパイプ５を介して屋外へ排出される。
【００３１】
また、本実施の形態の空気調和機１を壁掛け設置して、送風手段９と熱交換器２の相対位置関係が垂直となった場合でも、水平検知手段８の検知信号に基づいてドレンポンプ回転部７で回転し可変させるドレンポンプ３により、ドレンポンプ３の吸込み口が常に下向きになり、水受け皿６に貯留された凝縮水は、強制排出によってドレンポンプ３の吸込み口からドレンホース４及びドレンパイプ５を介して屋外へ排出される。
【００３２】
また本実施の形態の空気調和機は、他に室温コントロールに必要な冷凍サイクルの部位や各種センサー等（図示せず）を備えており、ドレンポンプ３吸込み口が下向きに可変されていない場合、室内機の運転を強制的に停止させることで、ドレンポンプ傾斜による水漏れ被害が確実に防止できる。
【００３３】
以上のように、本実施の形態においては、送風手段９と熱交換器２の相対位置関係が水平であっても垂直であっても熱交換器２から発生する凝縮水は水受け皿６に貯溜され、水平検知手段８の検知信号に基づいてドレンポンプ３吸込み口を常に下向きに可変させる構造を搭載するので、水受け皿６から強制排出によってドレンポンプ３の吸込み口からドレンホース４及びドレンパイプ５を介して屋外へ排出することができる。また、ドレンポンプ３の動作の有無を切り換える制御をする必要がなく、ドレンアップすることで美観においても配管やドレンホース４を室内側から見えなくすることができる。
【産業上の利用可能性】
【００３４】
以上のように、本発明にかかる空気調和機は、設置位置にかかわらず水受け皿に貯留した凝縮水をドレンポンプの強制排出により屋外へ排出することができるので、除湿機等の用途にも適用できる。
【図面の簡単な説明】
【００３５】
【図１】本発明の実施の形態１における天吊り設置時の空気調和機の断面図
【図２】本発明の実施の形態１における壁掛け設置時の空気調和機の断面図
【図３】本発明の実施の形態２における天吊り設置時の空気調和機の断面図
【図４】従来の天吊式空気調和機の要部断面図
【図５】従来の天井吊り設置と壁掛け設置を、ユーザのニーズにより使い分けるタイプの空気調和機を壁掛け設置した場合の断面図
【符号の説明】
【００３６】
１  空気調和機（空気調和機本体）
２  熱交換器
３  ドレンポンプ
４  ドレンホース
５  ドレンパイプ
６  水受け皿
７  ドレンポンプ回転部
８  水平検知手段
９  送風手段
１０  吸込部
１１  吹出部
１２  化粧グリル
【図１】
2006258341.tif 000003
【図２】
2006258341.tif 000004
【図３】
2006258341.tif 000005
【図４】
2006258341.tif 000006
【図５】
2006258341.tif 000007